(57)【要約】【課題】装置の製造コスト上昇を抑えつつ確実かつ容易にメッセージを伝達し得るテレビジョン装置を提供する。【解決手段】文字メッセージを表示するためのメッセージデータを複数記憶する記憶部と、各文字メッセージの選択操作および表示タイミングの指定操作が可能なリモコン３と、各文字メッセージをスクリーンパネル２２に一覧表示させると共に、いずれかの文字メッセージが表示対象文字メッセージとして選択され、かつ表示タイミングが指定されたときに、表示対象文字メッセージと表示タイミングとを関連付けた予約データを記憶部に記憶させ、指定された表示タイミングが到来したときに、そのタイミングに関連付けた表示対象文字メッセージを含んだメッセージ画面Ｐｍをスクリーンパネル２２に表示させる制御部とを備えている。【選択図】        図２
2004282577.tif 000002
【特許請求の範囲】
【請求項１】
文字メッセージを表示するためのメッセージデータを複数記憶する記憶部と、前記各文字メッセージの選択操作および当該選択された表示対象文字メッセージについての表示タイミングの指定操作が可能な操作部と、前記指定された表示タイミングが到来したときに対応する前記メッセージデータを前記記憶部から読み出して前記表示対象文字メッセージを表示部に表示させる制御部とを備え、
前記制御部は、前記各文字メッセージを前記表示部に一覧表示させると共に、前記選択操作によっていずれかの文字メッセージが前記表示対象文字メッセージとして選択され、かつ前記指定操作によって前記表示タイミングが指定されたときに、当該表示対象文字メッセージと当該指定された表示タイミングとを関連付けた予約データを前記記憶部に記憶させ、
前記指定された表示タイミングが到来したときに、そのタイミングに関連付けた前記表示対象文字メッセージを前記表示部に表示させるテレビジョン装置。
【請求項２】
電源投入時、所定時刻、および所定時刻から所定時間が経過した時点の少なくともいずれかを前記表示タイミングとして指定可能に構成されている請求項１記載のテレビジョン装置。
【請求項３】
前記操作部は、前記文字メッセージを構成する文字列の入力操作が可能に構成され、
前記制御部は、前記入力操作によって入力された前記文字列に基づいて前記メッセージデータを生成して前記記憶部に記憶させる請求項１または２記載のテレビジョン装置。
【請求項４】
前記操作部は、当該テレビジョン装置の遠隔操作器における遠隔操作用操作部で構成されている請求項１から３のいずれかに記載のテレビジョン装置。
【請求項５】
前記操作部は、前記表示部による前記表示対象文字メッセージの表示を終了させる表示終了操作が可能に構成され、
前記制御部は、前記表示部に前記表示対象文字メッセージを表示させている状態において前記表示終了操作が行われたときに当該表示部に当該表示対象文字メッセージの表示を終了させる請求項１から４のいずれかに記載のテレビジョン装置。
【請求項６】
前記操作部は、前記記憶部に記憶されている前記予約データを修正する修正操作が可能に構成されると共に当該予約データに関連付けるパスワードの入力操作が可能に構成され、
前記制御部は、前記表示タイミングの指定時において前記入力操作によって入力された前記パスワードに対応するパスワードデータを生成して前記予約データに関連付けて前記記憶部に記憶させ、
前記修正操作時に前記パスワードが入力されたときに、当該入力されたパスワードと、修正対象の前記予約データに関連付けられた前記パスワードとが一致したときに当該予約データの修正を許容する請求項１から５のいずれかに記載のテレビジョン装置。
【発明の詳細な説明】
【０００１】
【発明の属する技術分野】
本発明は、所定の文字メッセージを表示可能に構成されたテレビジョン装置に関するものである。
【０００２】
【従来の技術】
この種のテレビジョン装置として、映像および音声からなるメッセージ（伝言）を予め記録しておいて所定のタイミングで再生可能に構成されたテレビジョン装置（伝言機能付きテレビジョン：１）が特開平６−６２３３７号公報に開示されている。このテレビジョン装置は、ＣＣＤ撮像部（２）、リモコン（３）、映像音声記録・再生回路（７）、フレームメモリＩＣ（８）、音声記録ＩＣ（９）、マイクロホン（１０）、映像信号切り替えスイッチ（１２）、音声信号切り替えスイッチ（１３，１４）、ＣＲＴ（１５）、スピーカー（１６，１７）および通常信号処理回路（１８）を備えて構成されている。
【０００３】
このテレビジョン装置では、メッセージの記録に際して、まず、テレビジョン装置の正面に立ってリモコンを操作した後に、テレビジョン装置に向かってメッセージを喋る。この際に、ＣＣＤ撮像部が発信人（リモコンを操作した者）を撮像して生成した映像信号と、マイクロホンが集音して生成した音声信号とが映像音声記録・再生回路に出力される。これに応じて、映像音声記録・再生回路が、映像信号に基づく映像をフレームメモリＩＣに記録させると共に、音声信号に基づく音声を音声記録ＩＣに記録させる。これにより、メッセージ用の映像および音声が記録される。一方、記録されている映像および音声を再生する際には、映像信号切り替えスイッチおよび音声信号切り替えスイッチを切り替える。この際に、通常信号処理回路が、フレームメモリＩＣに記録されている映像を信号処理して映像信号をＣＲＴに出力すると共に、音声記録ＩＣに記録されている音声を信号処理して音声信号をスピーカーに出力する。これにより、映像（発信人の姿）がＣＲＴに表示されると共に音声（発信人が喋ったメッセージ）がスピーカーから出力される。
【０００４】
【特許文献１】
特開平６−６２３３７号公報（第２頁）
【０００５】
【発明が解決しようとする課題】
ところが、従来のテレビジョン装置には、以下の問題点がある。すなわち、このテレビジョン装置では、メッセージ用の映像および音声を予め記録しておき、スイッチが切り替え操作されたときに映像および音声を再生してメッセージを報知（伝達）している。このため、このテレビジョン装置では、発信人を撮像するためのＣＣＤ撮像部や、発信人の声（音声メッセージ）を録音するためのマイクロホンなどが必要となる。したがって、このテレビジョン装置には、これらのコストに起因して、装置の製造コストが高騰しているという問題点がある。また、このテレビジョン装置では、メッセージを伝達する際に、メッセージ用の映像および音声をその都度記録する必要があるうえ、記録した映像および音声を再生するために映像信号切り替えスイッチおよび音声信号切り替えスイッチを切り替える必要がある。したがって、このテレビジョン装置には、メッセージを伝達するための操作が煩雑であるという問題点も存在する。さらに、このテレビジョン装置では、両切り替えスイッチが切り替え操作されないときには、メッセージ用の映像および音声が再生されないこととなる。したがって、このテレビジョン装置には、スイッチが切り替え操作されないときに、メッセージが未伝達となるという問題点もある。
【０００６】
本発明は、かかる問題点に鑑みてなされたものであり、装置の製造コスト上昇を抑えつつ確実かつ容易にメッセージを伝達し得るテレビジョン装置を提供することを主目的とする。
【０００７】
【課題を解決するための手段】
上記目的を達成すべく本発明に係るテレビジョン装置は、文字メッセージを表示するためのメッセージデータを複数記憶する記憶部と、前記各文字メッセージの選択操作および当該選択された表示対象文字メッセージについての表示タイミングの指定操作が可能な操作部と、前記指定された表示タイミングが到来したときに対応する前記メッセージデータを前記記憶部から読み出して前記表示対象文字メッセージを表示部に表示させる制御部とを備え、前記制御部は、前記各文字メッセージを前記表示部に一覧表示させると共に、前記選択操作によっていずれかの文字メッセージが前記表示対象文字メッセージとして選択され、かつ前記指定操作によって前記表示タイミングが指定されたときに、当該表示対象文字メッセージと当該指定された表示タイミングとを関連付けた予約データを前記記憶部に記憶させ、前記指定された表示タイミングが到来したときに、そのタイミングに関連付けた前記表示対象文字メッセージを前記表示部に表示させる。
【０００８】
このテレビジョン装置では、文字メッセージの表示予約を行う際に、制御部が、記憶部に記憶されているメッセージデータに基づく文字メッセージを表示部に一覧表示させる。この場合、制御部は、いずれかの文字メッセージが表示対象文字メッセージとして選択され、かつ表示タイミングが指定された際に、その表示対象文字メッセージと表示タイミングとを関連付けた予約データを生成して記憶部に記憶させる。一方、制御部は、予約データによって特定される表示タイミングが到来したか否かを監視して、表示タイミングが到来したときには、その表示タイミングに関連付けられている表示対象文字メッセージを表示部に表示させる。このため、このテレビジョン装置では、従来のテレビジョン装置とは異なり、ＣＣＤ撮像部やマイクロホンを備えることなく文字メッセージを表示することでメッセージが伝達される。したがって、装置の製造コストの上昇を抑えつつメッセージの伝達が可能となる。また、操作部を操作して、一覧表示された文字メッセージのうちから所望の文字メッセージを選択するだけで、表示対象文字メッセージが設定される。さらに、例えば表示用のスイッチ等を操作しなくても、指定された表示タイミングで文字メッセージが自動的に表示される。このため、確実かつ容易にメッセージを伝達することが可能となる。
【０００９】
また、本発明に係るテレビジョン装置は、上記のテレビジョン装置において、電源投入時、所定時刻、および所定時刻から所定時間が経過した時点の少なくともいずれかを前記表示タイミングとして指定可能に構成されている。
【００１０】
このテレビジョン装置では、電源投入時、所定時刻、および所定時刻から所定時間が経過した時点の少なくともいずれかを表示タイミングとして指定することが可能になっている。このため、伝達対象者の行動パターンに合わせて最適な表示タイミングを選択することが可能となる。したがって、文字メッセージの内容を確実に伝達することが可能となる。
【００１１】
また、本発明に係るテレビジョン装置は、上記のテレビジョン装置において、前記操作部は、前記文字メッセージを構成する文字列の入力操作が可能に構成され、前記制御部は、前記入力操作によって入力された前記文字列に基づいて前記メッセージデータを生成して前記記憶部に記憶させる。
【００１２】
このテレビジョン装置では、操作部の操作によって任意の文字列が入力された際に、制御部が、入力された文字列に基づいてメッセージデータを生成して記憶部に記憶させる。このため、所望の文字メッセージが一覧表示されない（つまり所望の文字メッセージが記憶部に記憶されていない）ときであっても、文字メッセージを自由に入力することが可能となる。また、入力した文字メッセージのメッセージデータが記憶部に記憶されるため、次回の一覧表示の際には、入力した文字メッセージの表示が可能となる。
【００１３】
また、本発明に係るテレビジョン装置は、上記のテレビジョン装置において、前記操作部は、当該テレビジョン装置の遠隔操作器における遠隔操作用操作部で構成されている。
【００１４】
このテレビジョン装置では、文字メッセージの選択操作や表示タイミングの指定操作をするための操作部が、テレビジョン装置の遠隔操作器における遠隔操作用操作部で構成されている。このため、テレビジョン装置から離れた位置で表示予約の操作が可能となる。この場合、選択操作用および指定操作用の各操作ボタンが、遠隔操作器における例えばチャンネル選局用の操作ボタンと兼用されている。したがって、その分だけ遠隔操作器を小形かつ安価に構成することが可能になっている。
【００１５】
また、本発明に係るテレビジョン装置は、上記のテレビジョン装置において、前記操作部は、前記表示部による前記表示対象文字メッセージの表示を終了させる表示終了操作が可能に構成され、前記制御部は、前記表示部に前記表示対象文字メッセージを表示させている状態において前記表示終了操作が行われたときに当該表示部に当該表示対象文字メッセージの表示を終了させる。
【００１６】
このテレビジョン装置では、文字メッセージの表示中に表示終了操作がされたときに、制御部が表示部に文字メッセージの表示を終了させる。このため、例えば重要なテレビ番組の鑑賞中に文字メッセージが表示されてテレビ映像の一部が遮られたとしても、文字メッセージの内容を確認した時点で即座に文字メッセージの表示を終了させることが可能となる。一方、制御部は、文字メッセージの表示終了操作がされるまで文字メッセージを表示させる。このため、伝達対象者は、文字メッセージの内容を十分に認識するまで文字メッセージの表示を継続させることが可能となる。
【００１７】
また、本発明に係るテレビジョン装置は、上記のテレビジョン装置において、前記操作部は、前記記憶部に記憶されている前記予約データを修正する修正操作が可能に構成されると共に当該予約データに関連付けるパスワードの入力操作が可能に構成され、前記制御部は、前記表示タイミングの指定時において前記入力操作によって入力された前記パスワードに対応するパスワードデータを生成して前記予約データに関連付けて前記記憶部に記憶させ、前記修正操作時に前記パスワードが入力されたときに、当該入力されたパスワードと、修正対象の前記予約データに関連付けられた前記パスワードとが一致したときに当該予約データの修正を許容する。
【００１８】
このテレビジョン装置では、予約データの修正に際して、制御部が、表示予約の際に入力されたパスワードと予約データの修正操作の際に入力したパスワードとが一致するか否かを判別する。この場合、制御部は、両パスワードが一致したと判別したときにのみ、修正対象の予約データの修正を許容する。このため、例えば表示予約の予約者以外の者によって予約データが消去されて重要な文字メッセージが表示されないという事態が確実に防止される。
【００１９】
【発明の実施の形態】
以下、本発明に係るテレビジョン装置の好適な実施の形態について、添付図面を参照して説明する。
【００２０】
図１に示すテレビジョン装置１は、一例として、テレビ映像（例えば図２に示すテレビ映像Ｐｔ）などの各種映像（表示画面）を表示可能な背面投射型のテレビジョン装置であって、装置本体２およびリモコン３を備えて構成されている。また、テレビジョン装置１は、メッセージ画面Ｐｍ（図２参照）や選択用画面Ｐｃ１〜Ｐｃ３（図３〜９参照）などの表示画面をテレビ映像Ｐｔの上に重ね合わせて表示するＯＳＤ（Ｏｎ  Ｓｃｒｅｅｎ  Ｄｉｓｐｌａｙ  ）機能を備えている。この場合、メッセージ画面Ｐｍは、各種の文字メッセージを表示（伝達）するための画面であって、図２に示すように、「○○ちゃんへ」（メッセージの伝達対象者：宛名）、「５時頃帰ります」（伝言内容：本発明における文字メッセージ）および「お母さんより」（発信者）などの文字列が所定の表示タイミングで表示される。なお、メッセージ画面Ｐｍの表示内容（伝言内容、宛名および発信者）や、その表示タイミングは、後述するように、利用者（上記の例では「お母さん」）によって指定（設定）される。また、設定するメッセージ画面Ｐｍの表示内容については、少なくとも伝言内容を入力すればよく、宛名や発信者の入力は必ずしも必要とされない。したがって、本明細書における「文字メッセージ」には、伝言内容だけ、または伝言内容と宛名や発信者との組合せの両者が含まれる。また、以下の説明においては、メッセージ画面Ｐｍの表示内容および表示タイミングの指定を「表示予約」ともいう。
【００２１】
装置本体２は、図１に示すように、表示部１１、音声出力部１２、表示制御部１３、主制御部１４、チューナ１５、記憶部１６および通信部１７を備えて構成されている。表示部１１は、プロジェクタユニット２１およびスクリーンパネル２２を備えて構成されている。プロジェクタユニット２１は、装置本体２の筐体内部における底面側に配設されて、表示制御部１３によって出力される表示用信号Ｓｅに基づいて光変調した投射光Ｌをスクリーンパネル２２の背面側に向けて投射する。スクリーンパネル２２は、プロジェクタユニット２１によって投射された投射光Ｌを受光して拡散または平行光に変換することにより、各種映像を表示する。なお、このテレビジョン装置１では、実際には、プロジェクタユニット２１によって投射された投射光Ｌをスクリーンパネル２２に向けて反射するためのミラーなどを備えているが、本発明についての理解を容易とするために、その図示および説明を省略する。
【００２２】
音声出力部１２は、例えばアンプおよびスピーカー（図示せず）を備えて構成され、主制御部１４によって転送された音声信号Ｓｖを増幅して出力する。表示制御部１３は、主制御部１４と相俟って本発明における制御部を構成し、主制御部１４によって転送された映像信号Ｓｔに基づいて表示用信号Ｓｅを生成してプロジェクタユニット２１に出力することにより、例えば図２に示すテレビ映像Ｐｔ（この場合、家および木の映像）を表示させる。また、表示制御部１３は、主制御部１４によってメッセージ画面Ｐｍの表示を指示する制御信号Ｓｃが出力されたときには、同図に示すように、メッセージ画面Ｐｍをテレビ映像Ｐｔに重ね合わせた合成映像を表示させる表示用信号Ｓｅを生成して出力する。さらに、表示制御部１３は、主制御部１４によって出力される制御信号Ｓｃに従って、図３〜９に示す選択用画面Ｐｃ１〜Ｐｃ３やリストボックスＬＢ１〜ＬＢ４などをテレビ映像Ｐｔに重ね合わせた合成映像を表示させる表示用信号Ｓｅを生成して出力する。
【００２３】
主制御部１４は、リモコン３から出力された操作信号Ｓｏに応じて制御信号Ｓｃを出力することにより、表示制御部１３、チューナ１５および音声出力部１２などを統括的に制御する。また、主制御部１４は、チューナ１５から出力された映像信号Ｓｔを表示制御部１３に転送すると共に、チューナ１５から出力された音声信号Ｓｖを音声出力部１２に転送する。さらに、主制御部１４は、表示予約の際に利用者によってメッセージ画面Ｐｍの表示内容が入力され（文字メッセージを表示するための文字列データ（メッセージデータ）Ｄｍ，Ｄｍ・・が選択され）、かつその表示タイミングが選択されたときに、指定された表示内容（選択された文字列データＤｍ，Ｄｍ・・）を特定可能な情報、選択された表示タイミングを特定可能な情報、および表示内容と表示タイミングとを関連付けた情報を含んだ予約データＤｐを生成して記憶部１６に記憶させる。
【００２４】
この場合、主制御部１４は、予約データＤｐの生成に際して、後述するように表示予約時に利用者によって入力されるパスワードに基づいてパスワードデータを生成し、生成したパスワードデータを予約データＤｐに含ませて（関連付けて）記憶させる。さらに、主制御部１４は、表示予約によって設定された予約内容や表示タイミングの修正や消去（予約データＤｐの修正）の際に利用者によってパスワードが入力されたときには、そのパスワードと、予約データＤｐに含ませたパスワードデータによって特定されるパスワードとが一致するか否かを判別し、両パスワードが一致したときに予約内容や表示タイミングの修正および消去を許容する。
【００２５】
チューナ１５は、制御信号Ｓｃによって指定されたチャンネルのＴＶ放送波を図示しないアンテナを介して受信したＴＶ放送波から抽出して、その映像信号Ｓｔおよび音声信号Ｓｖを出力する。記憶部１６は、ＥＰＲＯＭ等の不揮発性メモリで構成されて、複数の文字列データＤｍ，Ｄｍ・・を記憶する。この場合、記憶部１６には、テレビジョン装置１の製造段階において、例えば、「５時頃帰ります」、「今日は塾の日だよ！」、「お父さんへ」および「お母さんへ」などの使用頻度が高い文字列を表示するための文字列データＤｍが初期データとして修正可能に記憶されている。また、記憶部１６は、表示予約に際して表示タイミングを選択させるための選択候補（各種表示タイミングをそれぞれ表す文字列）を表示させるための文字列データＤｍ（例えば「電源投入時」等の文字列を表示するための文字列データＤｍ）も記憶する。さらに、記憶部１６は、利用者によって入力される文字列や利用者によって指定される表示タイミングに基づいて生成される文字列データＤｍ，Ｄｍ・・を記憶する。また、記憶部１６は、上記したように、主制御部１４によって生成された予約データＤｐを記憶する。なお、予約データＤｐを記憶する記憶部（例えばＥＰＲＯＭ）を記憶部１６とは別に設ける構成を採用することもできる。通信部１７は、リモコン３から出力された操作信号Ｓｏを受信して主制御部１４に出力する。
【００２６】
リモコン３は、本発明における遠隔操作器に相当し、図２に示すように、装置本体２とは別体に形成されている。また、リモコン３は、操作部（遠隔操作用操作部）３１を備えて構成され、操作部３１から出力された操作信号Ｓｏを例えば赤外線信号に変換して出力する。操作部３１は、同図に示すように、電源ボタン３１ａ、メッセージ予約ボタン３１ｂ、選局ボタン３１ｃ，３１ｃ・・、移動ボタン３１ｄ，３１ｄ・・、決定ボタン３１ｅおよびメッセージ表示終了ボタン３１ｆなどの各種操作ボタンが配列されて構成され、各操作ボタンが操作された際に操作内容（操作されたボタンと、その操作順序）を特定可能な操作信号Ｓｏを出力する。この場合、選局ボタン３１ｃは、チャンネル選局用の操作ボタンとして使用されると共に、後述する文字入力の際には、操作パネルに印刷された文字を入力するための文字入力用ボタンとして機能する。また、各移動ボタン３１ｄは、アップダウン方式によるチャンネル選局および音量調整の際に使用されると共に、例えば図３に示す選択用画面Ｐｃ１内に表示された複数のボタン画像Ｐｂ１〜Ｐｂ４（以下、区別しないときには単に「ボタン画像Ｐｂ」ともいう）のうちから所望のボタン画像Ｐｂを選択する際にカーソル表示を上下左右に移動させる際に使用される。この場合、同図に示すように、各移動ボタン３１ｄの操作に伴ってカーソル表示が重ね合わされたボタン画像Ｐｂ（選択されたボタン画像Ｐｂ）は反転表示される。したがって、利用者に対して、どのボタン画像Ｐｂを選択しているのかを直ちに認識させることが可能となる。
【００２７】
このテレビジョン装置１では、リモコン３の電源ボタン３１ａが操作されることにより、プロジェクタユニット２１に電源が供給されると共にチューナ１５によって映像信号Ｓｔおよび音声信号Ｓｖが出力される。この際に、表示制御部１３は、映像信号Ｓｔに基づいて表示用信号Ｓｅを生成してプロジェクタユニット２１に出力する。これにより、プロジェクタユニット２１によって投射光Ｌが投２射されて例えば図２に示すテレビ映像Ｐｔがスクリーンパネル２２表示されると共に、音声出力部１２によって音声信号Ｓｖに基づく音声が出力される。
【００２８】
一方、文字メッセージの表示予約に際しては、まず、リモコン３のメッセージ予約ボタン３１ｂを操作する。この際には、リモコン３（操作部３１）が操作信号Ｓｏを出力し、通信部１７が操作信号Ｓｏを受信して主制御部１４に出力する。続いて、主制御部１４は、操作信号Ｓｏに従って、図３に示す選択用画面Ｐｃ１の表示を指示する制御信号Ｓｃを表示制御部１３に出力する。これに応じて、表示制御部１３は、テレビ映像Ｐｔに選択用画面Ｐｃ１を重ね合わせて表示させる表示用信号Ｓｅを生成して出力する。これにより、同図に示すように、テレビ映像Ｐｔに選択用画面Ｐｃ１が重ね合わせされた合成映像がスクリーンパネル２２に表示される。この場合、選択用画面Ｐｃ１には、例えば「新規予約」、「予約消去」、「予約修正」および「終了」の文字列がそれぞれ表示されたボタン画像Ｐｂ１〜Ｐｂ４が表示される。
【００２９】
また、例えば新規に表示予約を行う場合、ボタン画像Ｐｂ１が反転表示された状態（カーソル表示が重ね合わされている状態）において決定ボタン３１ｅを操作する。この際に、主制御部１４は、リモコン３から出力された操作信号Ｓｏに基づいて新規予約が選択されたと判別して、図４に示す選択用画面Ｐｃ２の表示を指示する制御信号Ｓｃを出力する。これに応じて、表示制御部１３が表示用信号Ｓｅを出力することにより、同図に示すように、選択用画面Ｐｃ２をテレビ映像Ｐｔに重ね合わせた合成映像がスクリーンパネル２２に表示される。この場合、選択用画面Ｐｃ２内には、表示予約に必要な、伝言内容、宛名、発信者、および表示タイミングなどの各項目を入力するための入力ボックスＩＢ１〜ＩＢ４と、パスワードを入力するための入力ボックスＩＢ５と、各入力ボックスＩＢ１〜ＩＢ５に入力された内容で予約内容を確定させるためのボタン画像Ｐｂ５（「ＯＫ」の文字列が表示されたボタン画像）と、表示予約をキャンセルするためのボタン画像Ｐｂ６（「キャンセル」の文字列が表示されたボタン画像）とが表示される。
【００３０】
続いて、伝言内容を入力するために、移動ボタン３１ｄを操作して入力ボックスＩＢ１の右端部に表示されている▼印の部位を選択した後に、決定ボタン３１ｅを操作する。この際に、主制御部１４は、図５に示すリストボックスＬＢ１の表示を指示する制御信号Ｓｃを出力する。これに応じて、表示制御部１３は、記憶部１６に記憶されている文字列データＤｍ，Ｄｍ・・（伝言内容を示す文字列に対応する文字列データＤｍ）を読み出すと共に、読み出した文字列データＤｍ，Ｄｍ・・に基づいてリストボックスＬＢ１を表示させるための表示用信号Ｓｅを生成して出力する。これにより、同図に示すように、入力ボックスＩＢ１の下方にリストボックスＬＢ１が表示される。
【００３１】
次に、移動ボタン３１ｄを操作して、図５に示すように、リストボックスＬＢ１内に一覧表示された各伝言内容（伝言内容を表す文字列）のうちから所望の伝言内容（この例では「５時頃帰ります」の文字列）を選択した後に決定ボタン３１ｅを操作する。この際に、主制御部１４は、操作信号Ｓｏに従い、表示制御部１３に対して、選択された伝言内容を入力ボックスＩＢ１内に入力（表示）させると共にリストボックスＬＢ１を消去させる。なお、入力ボックスＩＢ１に表示させる伝言内容については、リストボックスＬＢ１内に一覧表示された各伝言内容からの選択に限らず、リモコン３の選局ボタン３１ｃを操作して伝言内容を表す文字列を直接文字入力することもできる。この際には、主制御部１４は、入力された文字列に基づいて文字列データＤｍを生成して次回の伝言内容の選択において読み出し可能に記憶部１６に記憶させる。
【００３２】
次いで、伝言内容を伝達すべき伝達対象者の宛名を入力するために、入力ボックスＩＢ２の右端部の▼印の部位を選択した後に決定ボタン３１ｅを操作する。
この際には、入力ボックスＩＢ１に対する伝言内容の入力時と同様にして、図６に示すように、入力ボックスＩＢ２の下方に表示されたリストボックスＬＢ２内に一覧表示される各宛名（宛名を表す画像）のうちから所望の宛名（この例では「○○ちゃんへ」）を選択した後に、決定ボタン３１ｅを操作する。この際に、伝言内容の入力のときと同様にして、所望の宛名を入力ボックスＩＢ２内に直接文字入力することもできる。次に、発信者を入力するために、入力ボックスＩＢ３の右端部の▼印の部位を選択した後に決定ボタン３１ｅを操作する。この際には、入力ボックスＩＢ１，ＬＢ２に対する伝言内容や宛名の入力時と同様にして、図７に示すように、入力ボックスＩＢ３の下方に表示されたリストボックスＬＢ３内に一覧表示される各発信者（発信者を表す画像）のうちから所望の発信者（この例では「お母さん」）を選択した後に、決定ボタン３１ｅを操作する。この際に、伝言内容の入力のときと同様にして、所望の発信者名を入力ボックスＩＢ３内に直接文字入力することもできる。
【００３３】
次いで、メッセージ画面Ｐｍを表示させるタイミングを入力（指定）するために、移動ボタン３１ｄを操作して入力ボックスＩＢ４の右端部の▼印の部位を選択した後に、決定ボタン３１ｅを操作する。この際には、図８に示すように、入力ボックスＩＢ４の下方に各種表示タイミングを表す複数の文字列がリストボックスＬＢ４内に一覧表示される。続いて、移動ボタン３１ｄを操作して、同図に示すように、リストボックスＬＢ４内に一覧表示された各表示タイミング（表示タイミングを表す画像）のうちから所望の表示タイミング（この例では午後４時３０分）を選択した後に、決定ボタン３１ｅを操作する。この際には、表示タイミングとして選択された午後４時３０分を表す文字列が入力ボックスＩＢ４に入力されて、リストボックスＬＢ４が消去される。この場合、選局ボタン３１ｃを操作して、表示タイミングとしての例えば所望の表示時刻を入力ボックスＩＢ４内に直接文字入力することもできる。
【００３４】
次いで、選局ボタン３１ｃを操作して、入力ボックスＩＢ５に任意のパスワードを入力した後に、移動ボタン３１ｄを操作してボタン画像Ｐｂ５を選択して決定ボタン３１ｅを操作する。これに応じて、主制御部１４は、入力された表示内容（入力ボックスＩＢ１〜ＩＢ３内に入力された各文字列に対応する文字列データＤｍ，Ｄｍ，Ｄｍ）を特定可能な情報、入力された表示タイミング（入力ボックスＩＢ４内に入力された表示タイミング）を特定可能な情報、および表示内容と表示タイミングとを関連付けた情報を含んだ予約データＤｐを生成して記憶部１６に記憶させる。この際に、主制御部１４は、入力ボックスＩＢ５に入力されたパスワードに基づいてパスワードデータを生成して、生成したパスワードデータを組み合わせ予約データＤｐに含ませて記憶させる。これにより、新規の表示予約が完了する。
【００３５】
一方、既に設定されている予約内容を消去したり修正したりする際には、図３に示す選択用画面Ｐｃ１内におけるボタン画像Ｐｂ２またはボタン画像Ｐｂ３を選択した後に、決定ボタン３１ｅを操作する。この際に、例えば予約内容の消去用のボタン画像Ｐｂ２が選択された場合には、主制御部１４は、表示制御部１３に対して図９に示す選択用画面Ｐｃ３を表示させる。この場合、選択用画面Ｐｃ３には、既に設定されている予約内容が一覧表示されると共に、パスワードの入力用の入力ボックスＩＢ５、消去を確定（確認）させるためのボタン画像Ｐｂ５、および予約内容の消去をキャンセルさせるためのボタン画像Ｐｂ６が表示される。次いで、移動ボタン３１ｄを操作して、一覧表示された予約内容のうちから消去する予約内容（例えば「▲１▼」の行）を選択した後に、決定ボタン３１ｅを操作する。続いて、選局ボタン３１ｃを操作して、パスワード（表示予約に際して入力したパスワード）を入力ボックスＩＢ５に入力した後に、消去用のボタン画像Ｐｂを選択して決定ボタン３１ｅを操作する。
【００３６】
これに応じて、主制御部１４は、入力ボックスＩＢ５に入力されたパスワードと、選択された予約内容に対応する組み合わせ予約データＤｐに含まれているパスワードと一致するか否かを判別する。この際に、例えば消去対象の予約内容を予約した者（この例では「お母さん」）以外の者が予約内容を消去しようとして、両パスワードが一致しないと判別したときには、主制御部１４は、例えば「パスワードが違います」というエラーメッセージを表示させる。一方、両パスワードが一致したと判別したときには、主制御部１４は、選択された予約内容に対応する予約データＤｐを記憶部１６から消去する。これにより、所望の予約内容の消去が完了する。一方、予約内容の修正用のボタン画像Ｐｂ３が選択された場合には、主制御部１４は、予約内容の消去時と同様にして両パスワードが一致するか否かを判別して、両パスワードが一致したと判別したときには、例えば図８に示すように選択用画面Ｐｃ２を表示させる。次に、この選択用画面Ｐｃ２において、上記した新規の表示予約時における操作と同様にして、所望の項目を入力（再入力）する。これにより、予約内容の修正が完了する。
【００３７】
一方、上記の表示予約によって設定された表示タイミングが到来したときには、主制御部１４の制御下で、スクリーンパネル２２にメッセージ画面Ｐｍが表示される。具体的には、主制御部１４は、例えば内部タイマに基づく現在時刻と、記憶部１６に記憶されている各予約データＤｐ，Ｄｐ・・によって特定される各表示タイミングとを比較することにより、いずれかの表示タイミングとして設定された時刻が到来したか否かを常時監視する。また、いずれかの表示タイミングとして設定された時刻が到来したとき（この場合、現在時刻が午後４時３０分になったとき）には、主制御部１４は、その表示タイミングに関連付けられている表示内容に対応するメッセージ画面Ｐｍを表示させる旨を指示する制御信号Ｓｃを表示制御部１３に出力する。
【００３８】
これに応じて、表示制御部１３は、予約データＤｐによって特定される文字列データＤｍ，Ｄｍ，Ｄｍを記憶部１６から読み出して表示用信号Ｓｅを生成してプロジェクタユニット２１に出力する。これにより、図２に示すように、メッセージ画面Ｐｍをテレビ映像Ｐｔに重ね合わせた合成映像がスクリーンパネル２２に表示される。この結果、メッセージ画面Ｐｍを見た伝達対象者にその表示内容（この場合、「○○ちゃんへ５時頃帰りますお母さんより」）が伝達される。この場合、このテレビジョン装置１では、主制御部１４の制御下で、表示タイミングが到来した際にメッセージ画面Ｐｍが自動的に表示されるため、スイッチを操作しなくても各種の文字メッセージが表示される。また、このテレビジョン装置１では、メッセージ表示終了ボタン３１ｆが操作されるまでメッセージ画面Ｐｍが表示される。具体的には、伝達対象者がリモコン３のメッセージ表示終了ボタン３１ｆを操作した際に、主制御部１４は、メッセージ画面Ｐｍの表示終了を指示する制御信号Ｓｃを表示制御部１３に出力する。この際に、表示制御部１３は、メッセージ画面Ｐｍを消去してテレビ映像Ｐｔのみを表示させるための表示用信号Ｓｅを出力する。これにより、メッセージ画面Ｐｍが消去（表示終了）されて、スクリーンパネル２２の全面にテレビ映像Ｐｔが表示される。
【００３９】
このように、このテレビジョン装置１によれば、リストボックスＬＢ１〜ＬＢ３に一覧表示されたうちからリモコン３の選択操作によって選択された伝言内容、宛名、発信者を含んだメッセージ画面Ｐｍを指定された表示タイミングが到来したときにスクリーンパネル２２に表示することにより、従来のテレビジョン装置とは異なり、ＣＣＤ撮像部やマイクロホンを備えることなくメッセージの伝達が可能なメッセージ画面Ｐｍを表示することができる。したがって、装置の製造コストの上昇を抑えつつメッセージを伝達することができる。また、リモコン３を操作して所望の伝言内容、宛名、発信者を選択するだけで、メッセージ画面Ｐｍの内容を入力することができる。また、例えばメッセージ画面Ｐｍの表示用のスイッチを操作しなくても指定した表示タイミングでメッセージ画面Ｐｍを自動的に表示させることができる。したがって、確実かつ容易にメッセージ画面Ｐｍの内容を伝達することができる。
【００４０】
また、入力ボックスＩＢ１〜ＩＢ３に直接文字入力した伝言内容、宛名および発信者に基づくメッセージ画面Ｐｍを表示することにより、例えばリストボックスＬＢ１〜ＬＢ３に表示されない（つまり記憶部１６に記憶されていない）伝言内容、宛名および発信者を表示させることができる。また、選局ボタン３１ｃ、移動ボタン３１ｄおよび決定ボタン３１ｅをリモコン３に配設したことにより、テレビジョン装置１から離れた位置から表示予約を行うことができる。また、移動ボタン３１ｄを例えばチャンネル選局用として兼用することができるため、その分リモコン３を小形かつ安価に構成することができる。
【００４１】
さらに、メッセージ画面Ｐｍが表示されている状態でメッセージ表示終了ボタン３１ｆが操作されたときにメッセージ画面Ｐｍの表示を終了することにより、例えば重要なテレビ番組の鑑賞中にメッセージ画面Ｐｍが表示されてテレビ映像Ｐｔの一部が遮られたとしても、メッセージ画面Ｐｍの内容を確認した時点で即座にメッセージ画面Ｐｍの表示を終了させることができる。また、メッセージ表示終了ボタン３１ｆを操作するまでメッセージ画面Ｐｍを表示することにより、伝達対象者は、メッセージ画面Ｐｍの内容を十分に認識することができる。
【００４２】
また、表示予約の際に入力したパスワードと、表示予約の消去操作または修正操作の際に入力したパスワードとが一致したときにのみ消去または修正を許容することにより、予約内容を予約した者（発信者）以外の者によって表示予約の内容が消去または修正されて、例えば重要な内容のメッセージ画面Ｐｍが表示されない事態を確実に防止することができる。
【００４３】
なお、本発明は、上記した本発明の実施の形態に限定されない。例えば、本発明の実施の形態では、表示タイミングとして、所定時刻（例えば午後４時３０分）を指定した例について説明したが、電源投入時や、所定時刻から所定時間を経過する毎（例えば午後５時から１時間を経過する都度）にメッセージ画面Ｐｍを表示させることもできる。この場合、伝達対象者の行動パターンに合わせて最適な表示タイミングを指定することができるため、より確実にメッセージを伝達することができる。また、本発明の実施の形態では、メッセージ表示終了ボタン３１ｆが操作されるまでメッセージ画面Ｐｍを表示する例について説明したが、表示開始から所定時間経過した時点でメッセージ画面Ｐｍの表示を終了する構成を採用することもできる。さらに、本発明の実施の形態では、表示予約の際にパスワードを入力する例について説明したが、パスワードを入力することなく表示予約することもできる。この際には、表示予約した内容の消去時や修正時におけるパスワードの入力も不要となる。さらに、移動ボタン３１ｄや決定ボタン３１ｅなどの表示予約の際に操作される各種操作ボタンは、必ずしもリモコン３に配設する必要はなく、装置本体２に配設する構成を採用することもできる。
【図面の簡単な説明】
【図１】テレビジョン装置１の構成を示すブロック図である。
【図２】装置本体２およびリモコン３の正面図である。
【図３】選択用画面Ｐｃ１を示す表示画面図である。
【図４】選択用画面Ｐｃ２を示す表示画面図である。
【図５】リストボックスＬＢ１を示す表示画面図である。
【図６】リストボックスＬＢ２を示す表示画面図である。
【図７】リストボックスＬＢ３を示す表示画面図である。
【図８】リストボックスＬＢ４を示す表示画面図である。
【図９】選択用画面Ｐｃ３を示す表示画面図である。
【符号の説明】
１  テレビジョン装置、２  装置本体、３  リモコン、１１  表示部、１３  表示制御部、１４  主制御部、１６  記憶部、３１  操作部、３１ｃ  選局ボタン、３１ｄ  移動ボタン、３１ｅ  決定ボタン、３１ｆ  メッセージ表示終了ボタン、Ｄｍ  文字列データ、Ｄｐ  予約データ、ＬＢ１〜ＬＢ４  リストボックス、Ｐｍ  メッセージ画面
【図１】
2004282577.tif 000003
【図２】
2004282577.tif 000004
【図３】
2004282577.tif 000005
【図４】
2004282577.tif 000006
【図５】
2004282577.tif 000007
【図６】
2004282577.tif 000008
【図７】
2004282577.tif 000009
【図８】
2004282577.tif 000010
【図９】
2004282577.tif 000011